(57)【要約】【課題】  配管に確実かつコンパクトに取り付けることができる配管用の温度計を提供する。【解決手段】  配管２の温度を測定する温度計１において，複数に分割された被覆体２１，２２を組合わせることにより，配管２の外面を覆う筒形状を構成する被覆部材５を備え，前記被覆部材５の内面側には，測温体１０が配置され，前記被覆部材５の外面側には，前記測温体１０で検出した温度を表示する温度計本体３が配置されていることとした。さらに，前記複数の被覆体２１，２２は保温材とした。【選択図】  図２０
2005083831.tif 000002
【特許請求の範囲】
【請求項１】
配管の温度を測定する温度計であって，
複数に分割された被覆体を組合わせることにより，配管の外面を覆う筒形状を構成する被覆部材を備え，
前記被覆部材の内面側には，測温体が配置され，
前記被覆部材の外面側には，前記測温体で検出した温度を表示する温度計本体が配置されていることを特徴とする，配管用温度計。
【請求項２】
前記複数の被覆体は，保温材からなることを特徴とする，請求項１に記載の配管用温度計。
【請求項３】
前記複数の被覆体は，筒形状の被覆部材を２分割した第１の被覆体と第２の被覆体であることを特徴とする，請求項１又は２に記載の配管用温度計。
【請求項４】
前記温度計本体に太陽電池部を備え，この太陽電池部で発生した電力により，前記温度計本体に温度を表示することを特徴とする，請求項１，２又は３に記載の配管用温度計。
【発明の詳細な説明】
【技術分野】
【０００１】
本発明は，配管の外面の温度を測定する温度計に関する。
【背景技術】
【０００２】
配管内の流体の温度を監視するため，配管の外面の温度を測定する場合がある。かかる測定には，測温抵抗体や熱電対等からなる測温体と，測温体の検出値を温度に変換して温度表示部に表示させる温度計本体とを備えた温度計が用いられている。この温度計は，温度計本体に備えた太陽電池によって作動するようになっており，電源供給用の長い配線等が不要でコンパクトに設置できる利点がある。
【０００３】
従来，かかる配管用温度計を取り付ける構成として，磁石で形成された治具に温度計本体を固定し，治具に設けた貫通孔に測温体を挿入して，磁力によって磁性体の配管の外面に取り付けるものが提案されている（例えば，特許文献１参照。）。また，バンド等を配管に巻いて，配管の外面に測温体を固定するものが知られている（例えば，特許文献２参照。）。
【０００４】
【特許文献１】特開２００２−１９５８８７号公報
【特許文献２】特開平１１−１０８７６５号公報
【０００５】
しかしながら，特許文献１に示された構成においては，例えば空気調和機に用いられる銅製の冷媒配管等，非磁性体の配管には取り付けることができない問題がある。特許文献２に示された構成においては，温度計本体を測温体から離れた場所に別途固定しなければならず，設置スペースが大きくなり，また，取り付けが面倒である。
【発明の開示】
【発明が解決しようとする課題】
【０００６】
本発明の目的は，配管に確実かつコンパクトに取り付けることができる配管用の温度計を提供することにある。
【課題を解決するための手段】
【０００７】
上記課題を解決するために，本発明によれば，配管の温度を測定する温度計であって，複数に分割された被覆体を組合わせることにより，配管の外面を覆う筒形状を構成する被覆部材を備え，前記被覆部材の内面側には，測温体が配置され，前記被覆部材の外面側には，前記測温体で検出した温度を表示する温度計本体が配置されていることを特徴とする，配管用温度計が提供される。ここで，「測温体」とは，例えば測温抵抗体である。かかる構成によれば，測温体を配管に確実に固定することができる。また，温度計本体を別途固定する必要が無く，施工性が良く，コンパクトに取り付けることができる。
【０００８】
この配管用温度計にあっては，前記複数の被覆体は，保温材からなることが好ましい。この場合，配管の外面の放熱を防止し，配管の外面の温度，即ち，配管内の流体に近い温度を精度良く測定することができる。前記複数の被覆体は，筒形状の被覆部材を２分割した第１の被覆体と第２の被覆体であることが好ましい。
【０００９】
前記温度計本体に太陽電池部を備え，この太陽電池部で発生した電力により，前記温度計本体に温度を表示することが好ましい。この場合，電力供給用の配線を外部から接続する必要が無く，温度計全体がコンパクトになる。
【発明の効果】
【００１０】
本発明によれば，測温体を配管の外面に確実に取り付けることができる。また，配管に対する温度計の取り付け，取り外しが容易である。温度計全体をコンパクトに取り付けることができる。さらに，簡素で優れた意匠を提供できる。
【発明を実施するための最良の形態】
【００１１】
以下，本発明の好ましい実施の形態を説明する。図１〜図７に示すように，本発明にかかる配管用温度計１は，測定温度を表示する温度計本体３と，円管状の配管２の外面を覆う円筒形状の被覆部材５を備えている。被覆部材５の外周面には，温度計本体３を固定する台座６が固定されている。
【００１２】
図８に示すように，温度計本体３には，配線８によって測温体１０が接続されている。測温体１０としては，例えばサーミスタ測温抵抗体等が用いられる。
【００１３】
温度計本体３は，測温体１０の抵抗値を温度に変換する図示しない処理回路を内蔵している。温度計本体３は，略長方形状の板状に形成されており，温度計本体３の正面には，測温体１０によって検出した測定温度を表示する表示部１２と，温度計本体３に電源を供給する太陽電池部１３が設けられている。この太陽電池部１３で発生した電力により，処理回路（図示せず）を作動させ，また，表示部１２に温度を表示させるようになっている。配線８は，図８，図９及び図１０に示すように，温度計本体３の裏面に接続されている。温度計本体３の両側にはネジ穴１５がそれぞれ設けられている。
【００１４】
図８に示すように，表示部１２，太陽電池部１３は，それぞれ略長方形状に形成されており，温度計本体３の正面の長辺方向に沿って横に並べて配置されている。表示部１２としては，例えば液晶表示ディスプレー（ＬＣＤ）等が用いられる。表示部１２には，例えば３桁の数字や，「−」，小数点，「℃」等の記号が表示される。表示部１２に表示される数字は，温度計本体３の正面の長辺方向に沿って横に並ぶように表示される。
【００１５】
被覆部材５は，図１，図６及び図７に示すように，２個に分割された第１の被覆体２１と第２の被覆体２２を組み合わせることにより，一体の円筒形状になるように構成されている。第１の被覆体２１と第２の被覆体２２は，被覆部材５を２分割した略半円筒形状をしており，各被覆体２１，２２の内曲面の曲率半径，外曲面の曲率半径及び高さは，互いに同じ値になっている。各被覆体２１，２２の内曲面は，配管の外周面の曲率半径より若干大きな曲率半径で形成されている。被覆体２１の内側において，内曲面と外曲面の間の２個の側面には，凹凸部２３，２４が各々設けられている。被覆体２２の内側において，内曲面と外曲面の間の２個の側面には，凹凸部２５，２６が各々設けられている。凹凸部２３と凹凸部２５，凹凸部２４と凹凸部２６は，互いに組み合う形状になっている。
【００１６】
第１の被覆体２１と第２の被覆体２２の外曲面は，布状体３０によって覆われている。布状体３０の内面は粘着面となっている。布状体３０は，被覆体２１の外曲面における凹凸部２３側の辺から，被覆体２１の外曲面に沿って貼り付けられ，被覆体２１の外曲面における凹凸部２４側の辺と被覆体２２の外曲面における凹凸部２６側の辺とを隣接させた状態で貼り付けられており，さらに，被覆体２２の外曲面に沿って，被覆体２２の外曲面における凹凸部２５側の辺まで貼り付けられている。被覆体２２の凹凸部２５側の辺には，布状体３０の余り部３１が突出するように備えられている。余り部３１の粘着面は，被覆体２１の凹凸部２３側の外面に対して，即ち，凹凸部２３側の辺付近の外曲面を覆う布状体３０の外面である被粘着面３２に対して，粘着及び剥離させるようになっている。
【００１７】
上記の構成により，被覆体２１，２２は，凹凸部２４側の辺と凹凸部２６側の辺において，布状体３０によって連結されており，この凹凸部２４側の辺と凹凸部２６側の辺を中心として，開閉させることができるようになっている。即ち，図１〜図７に示すように，被覆体２１，２２の内側を閉じて，凹凸部２３と凹凸部２５，凹凸部２４と凹凸部２６を組み合わせ，被覆体２１，２２を一体の円筒状とした状態と，図１１〜図１６に示すように，凹凸部２３と凹凸部２５，凹凸部２４と凹凸部２６を離し，被覆体２１，２２の内側を開いた状態とにすることができる。また，被覆体２１，２２は，余り部３１の粘着及び剥離によって，結合及び結合解除させることが可能な構成となっている。即ち，図１〜図７に示すように，被覆体２１，２２の内面側を閉じた際，余り部３１を被粘着面３２に貼り付けることにより，被覆体２１，２２を互いに結合させた状態で固定することができる。また，余り部３１を被粘着面３２から剥離すると，被覆体２１，２２の結合が解除され，被覆体２１，２２の内側を開くことが可能な状態になる。
【００１８】
なお，被覆体２１，２２の材質としては，保温性が高い保温材を使用することが好ましく，さらに，弾力性と，自己消火性のあるものを使用することが好ましく，例えば自己消火性ビーズ法ポリスチレンフォーム等を使用すると良い。また，布状体３０の材質としては，例えばアルミガラスクロス粘着テープ等を用いると良い。
【００１９】
図１７に示すように，台座６は，被覆体２２の外曲面に固着されている。前述した温度計本体３は，台座６の外側に形成された平面である取付面６ａに取り付けられる。取付面６ａは略長方形状の平面に形成されており，取付面６ａが被覆部材５の内曲面の中心軸に対して略平行になるように，また，取付面６ａの長辺が，被覆部材５の内曲面の中心軸に対して略垂直方向に向かうように備えられている。取付面６ａには，配線８を収納するための配線収納部３５が凹状に形成されている。さらに，図１８及び図１９に示すように，配線収納部３５から被覆体２２の内曲面まで，測温体１０及び配線８を挿入する貫通孔３６が貫通している。配線収納部３５を除く台座６の外面には，布状体３７が接着されている。
【００２０】
台座６を被覆体２２に取り付ける際は，被覆体２２の外曲面において，台座６を固着させる部分のみ，布状体３０を切除して，外曲面を露出させる。一方，台座６には，被覆体２２の外曲面と同じ曲率半径を有する凹型の曲面６ｂが形成されており，この曲面６ｂを，被覆体２２の露出させた外曲面に固着させるようにする。曲面６ｂと被覆体２２の外曲面は，例えばホットメルト接着剤等によって接着する。
【００２１】
この台座６の材質としては，保温性の高い保温材を使用することが好ましく，さらに，自己消火性のあるものを使用することが好ましく，例えば自己消火性ビーズ法ポリスチレンフォーム等を使用することが好ましい。また，布状体３７の材質としては，例えばアルミガラスクロス粘着テープ等を用いることが好ましい。
【００２２】
図１８及び図１９に示すように，被覆体２２の内曲面には，貫通孔３６の周縁部から被覆部材５の内曲面の中心軸方向に向かって，測温体１０を固定するための溝３８が形成されている。この溝３８の長さは，測温体１０の長さにほぼ等しく，溝３８の深さは，測温体１０の直径より若干浅くなっている。
【００２３】
台座６及び被覆体２２に温度計本体３，配線８，測温体１０を取り付ける際は，測温体１０を，配線収納部３５側から貫通孔３６に挿入し，被覆体２２の内曲面側において貫通孔３６の外に出すようにする。図１８及び図１９に示すように，貫通孔３６内には配線８が装入される。測温体１０は，溝３８内に嵌めるようにして保持する。温度計本体３は，温度計本体３の裏面を取付面６ａに当接させ，表示部１２と太陽電池部１３を外側に向けた状態で，また，温度計本体３の長手方向を台座６の取付面６ａの長手方向に揃えた状態で備える。即ち，表示部１２に表示される数字が，被覆部材５の内曲面の中心軸に対して略垂直な向きに横書きになるようにする。余分な配線８は，配線収納部３５と温度計本体３の裏面との間の空間に収納する。さらに，温度計本体３の各ネジ穴１５にネジ４０を挿入し，各ネジ４０を台座６の中に埋め込むことにより，温度計本体３を台座６に固定する。こうして，被覆部材５の内曲面側に測温体１０を配置し，被覆部材５の外曲面側に温度計本体３を配置する。以上のように，温度計本体３，配線８，測温体１０の取り付けは容易に行うことができる。余分な長さの配線８は配線収納部３５にコンパクトに収納でき，邪魔にならない。
【００２４】
次に，以上に示した配管用温度計１の取り付け方法について説明する。被覆体２１，２２の内側を開き，図１に示すように，略垂直方向に配設された円管状の配管２の周囲に被覆体２１，２２を配置し，配管２を被覆体２１，２２の各内曲面の間に挟むようにして，被覆体２１，２２の内側を閉じる。これにより，配管２の外周面が被覆部材５によって覆われた状態になる。図２０及び図２１に示すように，配管２の外周面と被覆部材５の内曲面の間には，僅かな隙間が形成される。測温体１０は，溝３８と配管２の外周面の間に挟まれ，配管２の外面に密着する。そして，余り部３１を被粘着面３２に貼り付け，被覆体２１，２２を互いに結合させる。これにより，配管用温度計１が配管に確実に取り付けられ，測温体１０が配管２の外周面に確実に密着して固定される。被覆体２２は弾力性のある材質で形成されているので，溝３８は測温体１０に押されて奥に凹み，溝３８から測温体１０に対して，配管２に押す方向に反発力が与えられる。従って，測温体１０が配管２の外面に密着した状態が確実に保たれる。このように，被覆体２１，２２の内側を閉じて余り部３１を被粘着面３２に貼り付けるだけで，測温体１０を温度計測を行う所望の位置に容易にかつ確実に取り付けることができる。温度計本体３は予め台座６に一体的に備えられているので，配管用温度計１の配管２への取り付けの際に温度計本体３を別途固定する必要が無く，施工性が良い。また，余り部３１を貼り付けた部分は目立たず，外観上煩雑な感じにならない。
【００２５】
次に，図２２に示すように，配管用温度計１の上部と下部に，断熱材４６，４７をそれぞれ巻き付ける。断熱材４６，４７は，被覆部材５の近傍まで巻き付け，断熱材４６，被覆部材５，断熱材４７によって配管２を連続的に覆うようにする。そして，断熱材４６と被覆部材５の境界部分と，断熱材４７と被覆部材５の境界部分に，それぞれテープ５０，５１を巻き付けて，断熱材４６と被覆部材５，断熱材４７と被覆部材５をそれぞれ繋ぎ合わせるように固定する。
【００２６】
さて，太陽電池部１３に所定の照度以上の光線が照射されると，太陽電池部１３で電力が発生し，この電力により配管用温度計１が作動する。測温体１０の抵抗値は，配管２の外周面の温度に応じて変化し，配線８を介して温度計本体３の処理回路（図示せず）に抵抗値が送られる。処理回路（図示せず）は，測温体１０の抵抗値を温度に変換し，温度を表示部１２にデジタル値で表示させる。このように，配管用温度計１を太陽電池部１３からの電力によって作動させるので，電力供給用の配線を外部から接続する必要が無く，配管用温度計１をコンパクトに取り付けることができる。また，外観上煩雑な感じにならない。
【００２７】
また，配管２の外周面は，保温性の高い被覆部材５によって覆われているので，測温体１０を配置する箇所からの放熱を防止することができ，配管２の外面の温度，即ち，配管２内の流体の温度に近い温度を精度良く測定できる。従って，配管２内の流体の温度変化を精度良く監視できる。温度計本体３は，表示部１２の温度を示す数字と記号が略水平方向に向かって横書きになるように取り付けられるので，表示された温度を読み取り易い。
【００２８】
配管用温度計１を配管２から取り外すときは，先ず，テープ５０，５１を剥離した後，余り部３１を被粘着面３２から剥離して，被覆体２１，２２の内側を開く。このように，配管用温度計１を配管２から容易に取り外すことができる。
【００２９】
かかる配管用温度計１によれば，測温体１０を配管２の外周面に確実に取り付けることができる。配管２の材質によって制限されることなく，配管用温度計１を確実に取り付けることができる。また，配管２に対する配管用温度計１の取り付け，取り外しが容易である。配管用温度計１の配管２への取り付けの際に温度計本体３を別途固定する必要が無く，施工性が良い。さらに，太陽電池部１３によって作動させるので電力供給用の配線等が不要であり，また，余分な長さの配線８を配線収納部３５に収納できるので，配管用温度計１全体をコンパクトに取り付けることができる。そして，外観上煩雑な感じを与えず，簡素で機能美を感じさせる，優れた意匠を提供できる。
【００３０】
以上，本発明の好適な実施の形態の一例を示したが，本発明はここで説明した形態に限定されない。例えば，本実施の形態において，測温体１０はサーミスタ測温抵抗体等を用いることとしたが，測温抵抗体の種類はかかるものに限定されない。また，測温体は測温抵抗体に限定されず，熱電対であっても良い。この場合，温度計本体３には，測温体１０からの電圧値を温度に変換する処理回路を内蔵すれば良い。
【００３１】
本実施の形態においては，配管は円管状とし，被覆部材５は円筒状としたが，かかる形状に限定されない。例えば，配管を角管とし，被覆部材５の内面を配管の外面に沿った角形にしても良い。
【００３２】
被覆体２１，２２，布状体３０，台座６，布状体３７の材質は，実施の形態に示した例に限定されない。また，被覆体２２に台座６を固着する方法は，実施の形態に示した例に限定されない。
【００３３】
本実施の形態においては，配管２は略垂直に配設されているものとし，温度計本体３を台座６に取り付ける際に，温度計本体３の表示部１２に表示される数字と記号が，略水平方向に向かって横書きに表示されるようにしたが，温度計本体３を台座６に取り付ける向きや，台座６の向きは，配管用温度計１を取り付ける配管が配設されている方向に応じて適宜変更し，温度計本体３の表示部１２に表示される数字と記号が読み易くなるようにすることが好ましい。
【００３４】
次に，本発明の別の実施の形態を説明する。図２３に示すように，別の実施の形態にかかる配管用温度計５１は，略水平方向に配設された円管状の配管５２に取り付けられる。配管用温度計５１の基本構成は配管用温度計１と共通であり，共通する部分については同一の符号を付して説明は省略する。図２３〜図２９に示すように，配管用温度計５１は，被覆部材５と台座６を備えており，図３０〜図３５に示すように，配管用温度計５１の被覆部材５は，配管用温度計１の被覆部材５と同様に，被覆体２１，２２の内側を開閉することができる。図３６に示すように，配管用温度計５１の台座６は，配管用温度計１の台座６と同様に，取付面６ａが略長方形状に形成され，取付面６ａが被覆部材５の内曲面の中心軸に対して略平行になるように備えられているが，取付面６ａの長辺が被覆部材５の内曲面の中心軸と同じ方向に向かうように備えられている点において異なる。配管用温度計５１の台座６の取付面６ａには，配管用温度計１の台座６と同様に，配線収納部３５が形成されており，図３７及び図３８に示すように，貫通孔３６が貫通している。配管用温度計５１の取付面６ａに温度計本体３を取り付ける際は，温度計本体３の長手方向を台座６の取付面６ａの長手方向に揃えた状態で備える。即ち，表示部１２に表示される数字が，被覆部材５の内曲面の中心軸と同じ向きに横書きになるようにする。図２３に示すように，配管用温度計５１を略水平方向に配設された配管５２に取り付けると，表示部１２の温度を示す数字と記号が略水平方向に向かって横書きになるように取り付けられる。従って，表示された温度を読み取り易い。
【００３５】
本実施の形態においては，配管用温度計１を配管２に取り付けた後に断熱材４６，４７を取り付けることとしたが，かかる形態に限定されない。例えば，配管２に断熱材を取り付けた後，被覆部材５の長さ（例えば約１００ｍｍ〜１５０ｍｍ程度）だけ断熱材を切除して配管２を露出させ，露出させた部分に被覆部材５を取り付け，その後，断熱材と被覆部材５の境界部分に，それぞれテープ５０，５１を巻き付けて，断熱材と被覆部材５を互いに固定するようにしても良い。
【図面の簡単な説明】
【００３６】
【図１】配管用温度計の斜視図である。
【図２】配管用温度計の正面図である。
【図３】配管用温度計の背面図である。
【図４】配管用温度計の左側面図である。
【図５】配管用温度計の右側面図である。
【図６】配管用温度計の平面図である。
【図７】配管用温度計の底面図である。
【図８】温度計本体，配線，測温体の正面図である。
【図９】温度計本体の平面図である。
【図１０】温度計本体の側面図である。
【図１１】配管用温度計の第１の被覆体と第２の被覆体を開いた状態の正面図である。
【図１２】配管用温度計の第１の被覆体と第２の被覆体を開いた状態の背面図である。
【図１３】配管用温度計の第１の被覆体と第２の被覆体を開いた状態の左側面図である。
【図１４】配管用温度計の第１の被覆体と第２の被覆体を開いた状態の右側面図である。
【図１５】配管用温度計の第１の被覆体と第２の被覆体を開いた状態の平面図である。
【図１６】配管用温度計の第１の被覆体と第２の被覆体を開いた状態の底面図である。
【図１７】被覆部材と台座の斜視図である。
【図１８】図２に示す配管用温度計のＡ−Ａ線による縦断面図である（温度計本体，配線及び測温体の内部機構は省略して示している）。
【図１９】図２に示す配管用温度計のＢ−Ｂ線による横断面図である（温度計本体，配線及び測温体の内部機構は省略して示している）。
【図２０】配管用温度計を配管に取り付けた状態を示す縦断面図である（温度計本体，配線及び測温体の内部機構は省略して示している）。
【図２１】配管用温度計を配管に取り付けた状態を示す横断面図である（温度計本体，配線及び測温体の内部機構は省略して示している）。
【図２２】配管用温度計を配管に備え，配管用温度計の上部と下部に断熱材を備えた状態を示す側面図である。
【図２３】別の実施の形態にかかる配管用温度計の斜視図である。
【図２４】別の実施の形態にかかる配管用温度計の正面図である。
【図２５】別の実施の形態にかかる配管用温度計の背面図である。
【図２６】別の実施の形態にかかる配管用温度計の左側面図である。
【図２７】別の実施の形態にかかる配管用温度計の右側面図である。
【図２８】別の実施の形態にかかる配管用温度計の平面図である。
【図２９】別の実施の形態にかかる配管用温度計の底面図である。
【図３０】別の実施の形態にかかる配管用温度計の第１の被覆体と第２の被覆体を開いた状態の正面図である。
【図３１】別の実施の形態にかかる配管用温度計の第１の被覆体と第２の被覆体を開いた状態の背面図である。
【図３２】別の実施の形態にかかる配管用温度計の第１の被覆体と第２の被覆体を開いた状態の左側面図である。
【図３３】別の実施の形態にかかる配管用温度計の第１の被覆体と第２の被覆体を開いた状態の右側面図である。
【図３４】別の実施の形態にかかる配管用温度計の第１の被覆体と第２の被覆体を開いた状態の平面図である。
【図３５】別の実施の形態にかかる配管用温度計の第１の被覆体と第２の被覆体を開いた状態の底面図である。
【図３６】別の実施の形態にかかる配管用温度計の被覆部材と台座の斜視図である。
【図３７】図２４に示す配管用温度計のＣ−Ｃ線による縦断面図である（温度計本体，配線及び測温体の内部機構は省略して示している）。
【図３８】図２４に示す配管用温度計のＤ−Ｄ線による横断面図である（温度計本体，配線及び測温体の内部機構は省略して示している）。
【符号の説明】
【００３７】
１      配管用温度計
３      温度計本体
５      被覆部材
６      台座
８      配線
１０    測温体
１２    表示部
１３    太陽電池部
２１，２２  被覆体
３０  布状体
３１  余り部
３６  貫通孔
【図１】
2005083831.tif 000003
【図２】
2005083831.tif 000004
【図３】
2005083831.tif 000005
【図４】
2005083831.tif 000006
【図５】
2005083831.tif 000007
【図６】
2005083831.tif 000008
【図７】
2005083831.tif 000009
【図８】
2005083831.tif 000010
【図９】
2005083831.tif 000011
【図１０】
2005083831.tif 000012
【図１１】
2005083831.tif 000013
【図１２】
2005083831.tif 000014
【図１３】
2005083831.tif 000015
【図１４】
2005083831.tif 000016
【図１５】
2005083831.tif 000017
【図１６】
2005083831.tif 000018
【図１７】
2005083831.tif 000019
【図１８】
2005083831.tif 000020
【図１９】
2005083831.tif 000021
【図２０】
2005083831.tif 000022
【図２１】
2005083831.tif 000023
【図２２】
2005083831.tif 000024
【図２３】
2005083831.tif 000025
【図２４】
2005083831.tif 000026
【図２５】
2005083831.tif 000027
【図２６】
2005083831.tif 000028
【図２７】
2005083831.tif 000029
【図２８】
2005083831.tif 000030
【図２９】
2005083831.tif 000031
【図３０】
2005083831.tif 000032
【図３１】
2005083831.tif 000033
【図３２】
2005083831.tif 000034
【図３３】
2005083831.tif 000035
【図３４】
2005083831.tif 000036
【図３５】
2005083831.tif 000037
【図３６】
2005083831.tif 000038
【図３７】
2005083831.tif 000039
【図３８】
2005083831.tif 000040